(57)【特許請求の範囲】
【請求項１】
美容機器であって、
磁性体を具備する着脱可能な構成要素と、
前記磁性体の磁気に応じて信号を出力する磁気センサと、
前記信号に応じてモーターを制御することにより前記構成要素を駆動させる制御回路と、
を具備し、
前記信号は前記磁気の強度に応じて出力され、前記美容機器は少なくとも２つの着脱可能な構成要素を具備し、前記構成要素が取り付けられた場合の前記磁性体と前記磁気センサの間の距離が構成要素ごとに異なる、美容機器。
【請求項２】
前記制御回路は、前記磁気の極性に基づいて前記構成要素を駆動させるように構成された回路を含む、請求項１に記載の美容機器。
【請求項３】
前記制御回路は、前記極性がＮ極であるとき、前記モーターに第１の電力入力を供給し、前記極性がＳ極であるとき、前記モーターに第２の電力入力を供給する、請求項２に記載の美容機器。
【請求項４】
前記制御回路は、前記極性が検出されないとき、前記モーターに第３の電力入力を供給する、請求項３に記載の美容機器。
【請求項５】
前記第３の電力入力の大きさがゼロである、請求項４に記載の美容機器。
【請求項６】
前記第１の電力入力が、前記第２の電力入力と異なる大きさである、請求項３に記載の美容機器。
【請求項７】
前記制御回路は増幅器を含み、
前記磁気センサは、前記磁気に応じて、第１の出力信号と、第２の出力信号とを出力し、
前記増幅器は、前記第１の出力信号と前記第２の出力信号との差分を増幅して第３の出力信号を出力し、
前記制御回路は、前記増幅器から前記第３の出力信号を入力し、前記第３の出力信号に基づいて前記極性を判定する、請求項２に記載の美容機器。
【請求項８】
前記構成要素がブラシである、請求項１に記載の美容機器。
【請求項９】
前記磁性体が前記着脱可能な構成要素から取り外し不能である、請求項１に記載の美容機器。
【請求項１０】
前記構成要素が前記美容機器に取り付けられた場合に前記磁性体と前記磁気センサとが近接する位置に、前記磁性体が配置される、請求項１に記載の美容機器。
【請求項１１】
美容機器の作動方法であって、
着脱可能な構成要素の磁性体の磁気に応答して制御信号を生成するステップと、
前記制御信号に応答して、前記構成要素に動作可能に結合されたモーターを駆動させる電力制御パラメータを生成するステップと、
を含み、
前記制御信号は前記磁気の強度に応じて生成され、前記美容機器は少なくとも２つの着脱可能な構成要素を具備し、前記構成要素が取り付けられた場合の前記磁性体と前記磁気を検出する磁気センサの間の距離が構成要素ごとに異なる、方法。
【請求項１２】
美容機器であって、
着脱可能な構成要素の磁性体の磁気に応答して制御信号を生成するように構成された回路と、
前記制御信号に応答して、前記構成要素に動作可能に結合されたモーターを駆動させる電力制御パラメータを生成するように構成された回路と、
を含み、
前記制御信号は前記磁気の強度に応じて生成され、前記美容機器は少なくとも２つの着脱可能な構成要素を具備し、前記構成要素が取り付けられた場合の前記磁性体と前記磁気を検出する磁気センサの間の距離が構成要素ごとに異なる、美容機器。
【発明の詳細な説明】
【技術分野】
【０００１】
本開示は、美容機器に関する。
【背景技術】
【０００２】
各種の美容機器が開発されてきた。例えば、ブラシは、本体からブラシヘッドを取り外して他のブラシヘッドに交換可能なものがある。
【発明の概要】
【発明が解決しようとする課題】
【０００３】
従来、ユーザにとって利便性の高い美容機器が求められていた。
【課題を解決するための手段】
【０００４】
以下の記述は本開示の範囲を限定するものではない。上記の課題を解決するために、例えば、後述の実施例に示される美容機器を用いてもよい。例えば、一実施例において、美容機器は、磁性体を具備する着脱可能な構成要素と、前記磁性体の磁気に応じて信号を出力する磁気センサと、前記信号に応じてモーターを制御することにより前記構成要素を駆動させる制御回路と、を具備する。
【図面の簡単な説明】
【０００５】
【図１】美容機器の側面図を表わす。
【図２】ブラシモジュール１０を取り外した美容機器の側面図を表わす。
【図３】脚部１３側から見たブラシモジュール１０を表わす。
【図４】美容機器１の主な構成要素を表わす。
【図５】磁石１５が取り付けられたブラシモジュール１０を表わす。
【図６】美容機器１の構成要素の一部を表わす。
【図７】ブラシ駆動部１００の構成を示すブロック図を表わす。
【図８】ホールセンサ３３周辺の回路図の一例を表わす。
【図９】増幅器１２１周辺の回路図の一例を表わす。
【図１０】ＭＣＵ１２２周辺の回路図の一例を表わす。
【図１１】ＭＣＵ１２２用の電源回路の一例を表わす。
【図１２】モーター１３０用の電源回路の一例を表わす。
【図１３】磁気の検出からモーター１３０の制御までの信号の流れを表わす。
【発明を実施するための形態】
【０００６】
美容機器へのニーズが多様化し、より個別化された美容機器が開発されている。また、ブラシの素材に応じて、洗浄のために適したブラシの動きも異なる場合がある。これに対し、電動の洗顔ブラシは、電気的な構成要素を含む一方で耐水性が要求されるので、複雑なスイッチを設けることが困難であることがあり得る。すなわち、電気的なショートのために、密閉された機器にとって情報交換は課題であり得る。一方、ＲＦＩＤのような他の利用可能な技術は高価であり、より複雑な電気信号処理をする必要があり得る。以下の実施例における美容機器は、例えば、個別の動きのためにブラシの情報をプロセッサに伝達すること、低価格な、しかし信頼性の高いユーザインタフェースを提供すること、ブラシモジュールと本体の間で配線なしで接続して耐水機能を確保することを可能とする。
【０００７】
以下、図面を参照していくつかの実施の形態を詳細に説明する。図１は、美容機器１の側面図を表わし、ここで、例えば、ブラシの情報をプロセッサに伝達するような１つまたは複数の方法論または技術が実現され得る。一実施例において、美容機器１は、着脱可能な構成要素、例えばブラシモジュール１０と、本体２０とを備える。一実施例において、美容機器１は、本体２０内部にブラシ駆動部１００を備える。一実施例において、動作の間、ブラシ駆動部１００がブラシモジュール１０を動かす、振動させる、または動揺させる。例えば、一実施例において、ブラシモジュール１０は、繰り返し、ある向きに変位し、逆向きに戻る。しかし、ブラシモジュール１０の動きは、この単純な往復運動に限定されず、高速に微細な円を描くような動きでもよい。一実施例において、回転する、たたく等の動きでもよく、このような動きと振動とを組み合わせてもよい。一実施例において、美容機器１は、例えば、これに限定しないが、本体２０を把持し、振動するブラシモジュール１０を顔、頭、肘、膝、踵等に当てて、洗顔、マッサージ、研磨等に使用する。
【０００８】
図２に示すように、一実施例において、ブラシモジュール１０は本体２０から取り外し可能である。ブラシモジュール１０の基部１２は、片側に毛１１が植設され、反対側に脚部１３を備える。一実施例において、毛１１は、天然スポンジ、ニトリル・ブタジエン・ゴム（ＮＲＢ）、ウレタン、シリコン、軽石、プラスチック、または金属等のような各種の素材で作られる。一実施例において、脚部１３は、図３に示すように円形に並んでおり、図４に示すブラシホルダー４０の突起４１に着脱可能に嵌る。一実施例において、ブラシモジュール１０は１つまたは複数の構成によって本体２０に取り付けられる。一実施例において、美容機器１の構成要素のうちの１つまたは複数の構成要素は、高分子材料、エラストマ材料、プラスチック材料、および同等物を用いて加工される。例えば、一実施例において、ブラシモジュール１０の基部１２と本体２０のブラシホルダー４０は、ポリマー、プラスチック、熱可塑性物質、エラストマ、成形性材料、および同等物のうちの１つまたは複数で作られる。
【０００９】
図４は、美容機器１の分解組立図を表わし、ここで、１つまたは複数の方法論または技術が実現され得る。一実施例において、上述した本体２０内部のブラシ駆動部１００は図示しない。一実施例において、本体２０の筐体は、筐体前部２１、筐体後部２２、電源キャップ２３によって形成される。筐体前部２１、筐体後部２２、電源キャップ２３は、例えば、プラスチックで作られる。一実施例において、美容機器１は、１つまたは複数の電源１１０を含む。電源１１０の限定しない例は、１つまたは複数のボタン電池、化学電池、燃料電池、二次電池、リチウムイオン電池、マイクロ電気パッチ、ニッケル金属水素電池、銀亜鉛電池、キャパシタ、スーパーキャパシタ、薄膜二次電池、ウルトラキャパシタ、空気亜鉛電池、または同等物を含む。一実施例において、電源１１０は、少なくとも１つの再充電可能電源を含む。一実施例において、電源１１０は、１つまたは複数のマイクロバッテリー、プリントマイクロバッテリー、薄膜バッテリー、燃料電池（例えば、生物燃料電池、化学燃料電池、等）、および同等物を含む。
【００１０】
一実施例において、電源キャップ２３は、ブラシ駆動部１００の電源１１０を出し入れするため使用される。筐体前部２１は、ブラシ駆動部１００をブラシホルダー４０に結合するための穴２４と、スイッチを筐体前部２１の表面に出すための穴２５を有し、穴２４の周辺が、ブラシモジュール１０の脚部１３が嵌るブラシホルダー４０を収容するように、くぼんだ形に成形されている。
【００１１】
一実施例において、ブラシホルダー４０は、円形であり、ブラシモジュール１０の脚部１３（図３）が着脱可能に嵌るように、外周に突起４１を備える。
【００１２】
一実施例において、モーターハウジング３１は、ブラシ駆動部１００のモーター１３０を本体２０内部で固定するための部品の１つであり、例えば、筐体前部２１または筐体後部２２にねじで固定される。回転可能な軸３２がモーターハウジング３１の中央に縦方向に設けられ、軸３２の上端は筐体前部２１の穴２４を通してブラシホルダー４０の中央と結合される。
【００１３】
図７を参照すると、一実施例において、ブラシ駆動部１００は、一例として、電源１１０、制御回路１２０、モーター１３０、モーター１３０の回転を振動に変える機械部品１４０を備える。機械部品１４０の一例として、モーター１３０の回転軸に偏心カムが取り付けられ、偏心カムは軸３２が回転可能な方向に設けられた２つの板の間に挟まれ、２つの板は支持体を用いて軸３２に固定される。
【００１４】
一実施例において、筐体前部２１の穴２５は、本体２０内部のブラシ駆動部１００をオンおよびオフするためのプッシュ・スイッチを筐体前部２１の表面に出すために使用される。プッシュ・スイッチは、例えば、防水用ゴム３４を介して本体２０の外部から押せるように固定される。なお、ブラシ駆動部１００は、防水用ゴム３４と、筐体後部２２との間に配置されてもよい。また、モーター１３０は、ブラシ駆動部１００の制御回路１２０の基板と筐体後部２２との間に配置されてもよい。
【００１５】
図５に示すように、一実施例において、ブラシモジュール１０の基部１２の中央に磁性体、例えば磁石１５が取り付けられている。一実施例において、磁石１５は、焼結磁石である。一実施例において、磁石１５は、直接見えないようにブラシモジュール１０に埋め込まれている。一実施例において、磁石１５は、例えば、薄い円盤の形状であり、円盤の両面で極性が互いに逆である。
【００１６】
一実施例において、図４に示す筐体前部２１の裏側で穴２４付近に、磁気を検出する磁気センサ、例えば、ホールセンサ３３が設けられる。ホールセンサ３３は、モーターハウジング３１の上側に、筐体前部２１の裏側に近い位置に配置してもよい。また、ホールセンサ３３は、ブラシホルダー４０の内側に配置してもよい。磁気センサとして、リードスイッチを用いてもよく、その場合の構成例は後述する。磁気は非金属の素材を通過するので、ホールセンサ３３は、磁石１５によって発生し、ブラシホルダー４０、筐体前部２１を通過した磁気を検知する。モーター１３０の回転を振動に変える機械部品１４０が、モーターハウジング３１の軸３２を介してブラシホルダー４０と結合されるので、この実施例では、ホールセンサ３３は磁石１５の直下に位置するのではなく、磁石１５の直下の位置からわずかにずれている。図６は、図４とは上下を逆にして、ブラシモジュール１０、磁石１５、ホールセンサ３３、モーターハウジング３１のみを示す。
【００１７】
図７は、ブラシ駆動部１００の構成を示すブロック図を表わす。一実施例において、ブラシ駆動部１００は、一例として、電源１１０、制御回路１２０、モーター１３０、モーター１３０の回転を振動に変える機械部品１４０を備える。回転式のモーターではなくリニアモーターと、その動きをブラシホルダー４０に伝達する機械部品を用いてもよい。制御回路１２０は、増幅器１２１、マイクロ・コントロール・ユニット（ＭＣＵ）１２２、モーター制御部１２３を備える。
【００１８】
一実施例において、電源１１０は制御回路１２０のＭＣＵ１２２等に電力を供給する。一実施例において、動作において、増幅器１２１は、ホールセンサ３３から受信した信号を増幅してＭＣＵ１２２に出力する。ＭＣＵ１２２は、増幅された信号に基づいて予めプログラムされたモーター電力信号をモーター制御部１２３に出力する。モーター制御部１２３は、モーター電力信号に基づいて予め定義された電力をモーター１３０に供給する。機械部品１４０はモーター１３０の回転を振動に変え、この振動はモーターハウジング３１の軸３２を介してブラシホルダー４０に伝達される。
【００１９】
磁気の検出とモーター１３０の制御に関する、図４のホールセンサ３３、図７の増幅器１２１、ＭＣＵ１２２、モーター制御部１２３の周辺の回路図の例を図８から図１２に示す。図８は、ホールセンサ３３の周辺の回路図の一例を表わす。ホールセンサ３３の端子２、端子４から抵抗器を介して出力される信号ＯＵＴ１、ＯＵＴ２が、それぞれ、図９に示す増幅器１２１の非反転入力端子１、反転入力端子３に入力され、増幅器１２１の出力端子４から出力される信号ＯＵＴ＿Ａが、図１０に示すＭＣＵ１２２の端子３に入力される。すなわち、信号ＯＵＴ＿Ａは信号ＯＵＴ１とＯＵＴ２の差分を増幅した信号である。ＭＣＵ１２２は、例えば、プログラミング可能なプロセッサである。図１０の＋３＿３Ｖと示す端子は、図１１においてレギュレータ１２４の出力端子２に接続された＋３＿３Ｖと示す端子と接続され、電源１１０から生成された電力が供給される。図１０のＭＣＵ１２２は信号ＯＵＴ＿Ａに基づいて動作モードを判定し、端子１からモードを示す信号ＭＯＴＯＲ＿ＭＯＤＥを出力する。例えば、ＯＵＴ＿Ａが正の閾値ＴＨ＋を超えた場合、Ｎ極が検出され、ＯＵＴ＿Ａが負の閾値ＴＨ−を下回った場合、Ｓ極が検出され、ＯＵＴ＿ＡがＴＨ＋とＴＨ−の間である場合、極性は検出されない。なお、ＯＵＴ＿Ａの値と極性との関係は、ホールセンサ３３、増幅器１２１、その他の回路部品に依存する。ＭＯＴ＿ＰＷＲと示す端子は、図１２においてレギュレータ１２５の出力端子５に接続されたＭＯＴ＿ＰＷＲと示す端子と接続され、モーター用の電力が供給される。従って、図１０に示す回路は、信号ＭＯＴＯＲ＿ＭＯＤＥの大きさに応じてモーター１３０に印加される電圧が変化するように構成されている。
【００２０】
一実施例において、本体２０にブラシモジュール１０を取り付けて本体２０のスイッチをオンするだけで、ブラシモジュール１０の種類に応じて動作を変えることができる。下記の表１は、上段に示すように３種類の磁気が検出できる場合において、ブラシの種類と動作の対応関係の一例を示す。
【００２１】
【表１】
0006752564.tif 000002
【００２２】
この実施例では、３つのブラシモジュール１０ａ、１０ｂ、１０ｃがあるものとする。表１によれば、ブラシモジュール１０ａは通常の固さの毛１１ａを有し、Ｎ極が検出される向きに磁石１５が取り付けられ、ブラシモジュール１０ｂはブラシモジュール１０ａと比較して繊細な固さの毛１１ｂを有し、Ｓ極が検出される向きに磁石１５が取り付けられ、ブラシモジュール１０ｃは磁石１５が取り付けられていない、すなわち、真正品でない。また、ＭＣＵ１２２は、Ｎ極が検出されたときにモーター１３０に１００％の電力を供給するためのモーター電力信号を出力し、Ｓ極が検出されたときにモーター１３０に８０％の電力を供給するためのモーター電力信号を出力し、磁気が検出されないときにモーター１３０に電力を供給しないためのモーター電力信号を出力する（または、モーター電力信号を出力しない）ように予めプログラミングされているとする。
【００２３】
上記の場合において、図１３を参照して、磁気の検出からモーター１３０の制御までの信号の流れを説明する。ブラシモジュール１０の磁石１５は磁気を発生させ、ホールセンサ３３は、磁気に応じて、磁気が存在しないことを示す磁気なし信号１、または、磁気の存在および極性（Ｎ極またはＳ極）を示す極性信号２Ｎ／Ｓを増幅器１２１に出力する（図８ではＯＵＴ＿１、ＯＵＴ＿２）。具体的には、ブラシモジュール１０ａが本体２０に取り付けられた場合、ホールセンサ３３はＮ極を示す極性信号２Ｎを出力し、ブラシモジュール１０ｂが本体２０に取り付けられた場合、ホールセンサ３３はＳ極を示す極性信号２Ｓを出力し、ブラシモジュール１０ｃが本体２０に取り付けられた場合、ホールセンサ３３は磁気なし信号１を出力する。増幅器１２１は、ホールセンサ３３から出力された信号をＭＣＵ１２２での処理に適した大きさに増幅し、ＭＣＵ１２２に出力する（図９ではＯＵＴ＿１とＯＵＴ＿２の差分を増幅して得られたＯＵＴ＿Ａ）。ＭＣＵ１２２は、入力された信号に基づいて動作モードを判定し、判定結果に応じたモーター電力信号をモーター制御部１２３に出力する（図１１ではＭＯＴＯＲ＿ＭＯＤＥ）。具体的には、Ｎ極を示す信号を入力すると、ＭＣＵ１２２は１００％の電力を供給するためのモーター電力信号を出力し、Ｓ極を示す信号を入力すると、ＭＣＵ１２２は８０％の電力を供給するためのモーター電力信号を出力し、磁気が存在しないことを示す信号を入力すると、ＭＣＵ１２２は電力を供給しないためのモーター電力信号を出力する（または、モーター電力信号を出力しない）。モーター制御部１２３は、受信された信号に基づいてモーター電力をモーター１３０に供給する。モーター１３０は、供給されるモーター電力に応じて回転の速度が変わり、それによって、ブラシモジュール１０の振動の速度が変わる。
【００２４】
上記の実施例では、磁気の有無を検出することによって、ブラシモジュール１０が真正品であるかどうかを判定することができる。その代わりに、磁気が検出されない場合、１００％、８０％以外のパーセンテージの電力がモーター１３０に供給されてもよい。
【００２５】
上記の実施例では、モーター１３０の回転を振動に変える機械部品１４０を用いてブラシモジュール１０を振動させたが、ブラシホルダー１０が回転する、たたく等の動きをするように構成された機械部品１４０を用いてもよい。この場合、モーター１３０に供給されるモーター電力を制御することによって、ブラシモジュール１０の回転する、たたく等の速度が変わる。
【００２６】
上記の実施例では、モーターに供給する電力を変えることによってブラシモジュール１０の動きを変えたが、例えば、振動する、たたく、等の中から機械的な動きが選択できるように構成されたブラシ駆動部１００を用いて、機械的な動きを切り替えることによってブラシモジュール１０の動きを変えてもよい。
【００２７】
また、モーターに供給される電力が同じでも、毛１１の種類が異なれば、人の身体への刺激が異なるので、異なる種類の毛１１を有するブラシモジュール１０に、同じ極性が検出される向きに磁石１５を取り付けてもよい。
【００２８】
上記の実施例では、磁気の有無および極性に基づいて動作モードを判定したが、極性に代えて、または、これに加えて、磁気の強度に基づいて動作モードを判定してもよい。この場合、磁気の強度が異なる磁石を使用してもよいし、または、ホールセンサ３３と磁石１５の間の距離が他のブラシモジュール１０とは異なるように磁石１５をブラシモジュール１０に取り付けてもよい。例えば、上述した増幅器１２２の出力信号ＯＵＴ＿Ａの絶対値｜ＯＵＴ＿Ａ｜が閾値ＴＨ１を超えた場合、磁気が検出される。ＴＨ１より大きい閾値ＴＨ２に対して｜ＯＵＴ＿Ａ｜＞ＴＨ２の場合、モーター１３０に１００％の電力が供給され、ＴＨ１＜｜ＯＵＴ＿Ａ｜≦ＴＨ２の場合、モーター１３０に８０％の電力が供給され、｜ＯＵＴ＿Ａ｜≦ＴＨ１の場合、モーター１３０に０％の電力が供給される。また、２個より多くの磁石および閾値を用いてもよい。
【００２９】
上述した通り、ホールセンサ３３に代えてリードスイッチを用いてもよい。リードスイッチは、一般に、所定範囲の強度の磁気が加えられるときオンになり、それ以外ではオフになる。リードスイッチを用いた構成例は次の通りである。ブラシモジュール１０Ａ、１０Ｂにそれぞれ磁気の強度が異なる磁石１５Ａ、１５Ｂを取り付ける。磁石１５Ａ、１５ＢとリードスイッチＡ、Ｂは、ブラシモジュール１０Ａがブラシホルダー４０に取り付けられたとき、リードスイッチＡがオン、リードスイッチＢがオフになり、ブラシモジュール１０Ｂがブラシホルダー４０に取り付けられたとき、リードスイッチＡがオフ、リードスイッチＢがオンになるように選択する。リードスイッチＡ、Ｂは、ホールセンサ３３が設置されたのと同じ位置に設置する。制御回路１２０は、リードスイッチＡがオンのときモーター１３０に１００％の電力を供給し、リードスイッチＢがオンのときモーター１３０に８０％の電力を供給し、両方がオフのときモーター１３０に電力を供給しない。このような簡素な構成では、ＭＣＵ１２２または処理ユニットは必要ない。なお、リードスイッチＡ、Ｂの磁石１５Ａ、１５Ｂに対する動作は一部異なればよく、例えば、磁石１５Ａ、１５ＢとリードスイッチＡ、Ｂは、ブラシモジュール１０Ａがブラシホルダー４０に取り付けられたとき、リードスイッチＡがオン、リードスイッチＢがオフになり、ブラシモジュール１０Ｂがブラシホルダー４０に取り付けられたとき、リードスイッチＡおよびＢがオンになるように選択されてもよい。また、２個より多くの磁石およびリードスイッチを用いてもよい。
【００３０】
本願実施例では、磁気は非金属の素材を通過でき、外部機器からの信号を得るために電気的な構成を必要としないので、耐水性の機器に大変有効である。また、本願実施例は、比較的低価格で、より特殊化され個別化された洗浄動作を提供することができる。本願実施例は、美容機器、例えば、電動の洗顔ブラシ、マッサージ器等に利用することができる。
【符号の説明】
【００３１】
１  美容機器
１０  ブラシモジュール
１１  毛
１２  基部
１３  脚部
１５  磁石
２０  本体
２１  筐体前部
２２  筐体後部
２３  電源キャップ
２４、２５  穴
３１  モーターホルダー
３２  軸
３３  ホールセンサ
３４  防水用ゴム
４０  ブラシホルダー
４１  突起
１００  ブラシ駆動部
１１０  電源
１２０  制御回路
１２１  増幅器
１２２  マイクロ・コントローラ・ユニット
１２３  モーター制御部
１２４、１２５  レギュレータ
１３０  モーター
１４０  機械部品
【図１】
0006752564.tif 000003
【図２】
0006752564.tif 000004
【図３】
0006752564.tif 000005
【図４】
0006752564.tif 000006
【図５】
0006752564.tif 000007
【図６】
0006752564.tif 000008
【図７】
0006752564.tif 000009
【図８】
0006752564.tif 000010
【図９】
0006752564.tif 000011
【図１０】
0006752564.tif 000012
【図１１】
0006752564.tif 000013
【図１２】
0006752564.tif 000014
【図１３】
0006752564.tif 000015